(57)【要約】【課題】キャリア兼用スライダーにワイヤを取り付けた状態で、このキャリア兼用スライダーをガイドレールに嵌合できるようにする。【解決手段】ワイヤガイドｄをガイドレール１２の端部開口から側方へ退避させた位置に設け、キャリア兼用スライダー２６をワイヤを取り付けた状態で、ガイドレール１２端部の開口部からガイドレールの内側へ嵌合する際の邪魔にならないようにする。また、スライダーをキャリアと兼用することで、キャリアを小型化することができる。【選択図】図３
2015063837.tif 000002
【特許請求の範囲】
【請求項１】
両端面が開口したガイドレールと、該ガイドレールの両端部に設けられたワイヤガイドと、ガイドレールの開口からガイドレールの内側へ摺動可能に嵌合されるキャリア兼用スライダーと、ドラムが駆動されることにより往復移動されるワイヤを備え、少なくとも一方のワイヤガイドが前記ガイドレールの開口から側方へ退避した位置に設置され、ワイヤガイドを経由したワイヤがガイドレールの内側を通り、キャリア兼用スライダーのワイヤガイド退避側に取り付けられていることを特徴としたワイヤ式ウィンドウレギュレータ。
【請求項２】
前記キャリア兼用スライダーのワイヤガイド退避側の側面に２本の係止溝が形成され、これら係止溝に前記ワイヤの端部を係止することにより、前記ワイヤがキャリア兼用スライダーに取り付けられると共に、前記キャリアを介してワイヤが接続されていることを特徴とした請求項１に記載のワイヤ式ウィンドウレギュレータ。
【発明の詳細な説明】
【技術分野】
【０００１】
本発明は、ワイヤ式ウィンドウレギュレータに関する。
【背景技術】
【０００２】
自動車の窓ガラスを開閉するワイヤ式ウィンドウレギュレータとして、窓ガラスの下端部に取り付けたスライダーをガイドするガイドレールを備え、ガイドレールの上下端部にワイヤガイドを装着し、スライダーに接続されたワイヤをドラムと各ワイヤガイドの間に張り、ドラムを駆動してワイヤを往復移動させることにより、窓ガラスを開閉するものが公知である。
例えば、特許文献１には、上下のワイヤガイドに係合したワイヤをガイドレールの外部に張り、断面コ字状のガイドレール内に摺動可能に嵌合したスライダーと窓ガラスをキャリアで連結すると共に、ワイヤをキャリアに取り付けたウィンドウレギュレータが記載されている。
【０００３】
しかし、ガイドレールの外部にワイヤを張ると、ガイドレールにスライダーを嵌めこんだ後でスライダーとワイヤを別部材で接続するか、スライダーに側方へ張り出すワイヤ取付部を形成しなければならない。このため、部品数が多くなったり、スライダーが大型化する。また、ワイヤをガイドレールの内側に通して、ガイドレール内のスライダーへ直接に接続するには、あらかじめスライダーにワイヤを取り付けてからスライダーをガイドレールへ摺動可能に嵌め込む必要があるが、ガイドレールの端部に配置されるワイヤガイドがガイドレール端部の開口部を塞ぐ位置にあり、スライダーをガイドレールへ挿入することができない。このため、やむなく、ワイヤを取り付けたスライダーをガイドレールの側面から押し込んで摺動可能な嵌合状態を作り出すなどの無理な組み付け方法が必要となる。
【先行技術文献】
【特許文献】
【０００４】
【特許文献１】特開２００４-６０３７２号公報
【発明の概要】
【発明が解決しようとする課題】
【０００５】
本発明が解決しようとする課題は、ガイドレールへ摺動可能に嵌合するスライダーへワイヤを直接に取り付けて、スライダーとワイヤを接続するための別部品の必要を無くすること、スライダーに窓ガラスを支持するキャリアの機能を持たせてキャリアを小型化すること、ガイドレールに対するスライダーの取り付け、ひいてはキャリアの取り付けが容易であることにより組み付け作業性の良いワイヤ式ウィンドウレギュレータを提供することにある。
【課題を解決するための手段】
【０００６】
ウィンドウレギュレータにおけるガイドレールは両端面が開口したものとする。
キャリア兼用スライダーを、ガイドレールの開口からガイドレールの内側へ摺動可能に嵌合する。
一方、前記ガイドレールの両端部の少なくとも一方にワイヤガイドを、ガイドレールの開口から側方へ退避した位置に配置する。
また、ドラムが駆動されることにより往復移動されるワイヤを備える。
前記のワイヤは、ワイヤガイドを経由してガイドレールの内側を通り、前記キャリア兼用スライダーのワイヤガイド退避側に取り付ける。
前記キャリア兼用スライダーのワイヤガイド退避側の側面に２本の係止溝を形成し、これら係止溝に前記ワイヤの端部を係止する構造とすることがある。
【発明の効果】
【０００７】
本発明によれば、ワイヤをガイドレールの内側に配索し、ワイヤがガイドレール内に摺動可能に嵌合したキャリア兼用スライダーに直接取り付けられているので、ガイドレールの外部にワイヤを通したもののように、スライダーとワイヤを別部材で接続したり、スライダーの一部をガイドレールの側方へ大きく張り出す構造とする必要がない。
また、スライダーをキャリアの機能を備えた兼用のものとすることにより、キャリアがコンパクトとなる。
さらに、ワイヤガイドがガイドレールの開口部から退避して配置されているので、キャリア兼用スライダーにワイヤガイドを経由したワイヤを取り付けてから、そのキャリア兼用スライダーをガイドレールの開口部から摺動可能に嵌合させることができるので、ウィンドウレギュレータにおけるワイヤの配索が容易になる。
【図面の簡単な説明】
【０００８】
【図１】本発明の実施例に係る自動車用ドアを外側から透視的に見た正面図である。
【図２】本発明の実施例に係るウィンドウレギュレータの正面図である。
【図３】本発明の実施例に係るウィンドウレギュレータの要部拡大正面図である。
【図４】本発明の実施例に係るガイドレール及びキャリア兼用スライダーの正面図（一部を縦断面で表わしている）。
【図５】図４のＡ−Ａ断面図である。
【図６】本発明の実施例に係るキャリア兼用スライダー及びワイヤの側面図である。
【図７】本発明の実施例に係る窓ガラスとキャリア兼用スライダー及びガイドレールの関係を示した要部の分解斜視図である。
【発明を実施するための形態】
【０００９】
以下、本発明の実施例を図面に基づいて詳細に説明する。
本発明に係る自動車用ドアは、図１に示すように、窓ガラス１とドアフレーム２とドアパネル３及びウィンドウレギュレータ４を備える。
ドアフレーム２は前フレーム５と後フレーム６及びこれらの上端部を連結した上フレーム７とからなる。
ドアパネル３は、パネル空間Ｓを形成する外パネル８と内パネル９から成り、外パネル８と内パネル９の間に前フレーム５と後フレーム６の下部が固定されている。また、パネル空間Ｓの上方において、前フレーム５と後フレーム６と上フレーム７で囲まれた部分が窓Ｗになっている。
【００１０】
窓ガラス１は、前縁を前フレーム５で案内させるとともに、後縁を後フレーム６で案内させて、上下方向に移動可能に装着してある。また、窓ガラス１の下端部にはガラスホルダー３４（図７）が取り付けられる。
窓ガラス１を昇降させるウィンドウレギュレータ４は、図２に示すように、ワイヤ１０と、ドラム駆動装置１１と、ワイヤ１０を係合してその方向を転向させるワイヤガイドａ〜ｅと、前フレーム５及びガイドレール１２で構成される。ワイヤガイドａ，ｂ，ｄ，ｅはプーリーからなる回動可能なワイヤガイドであり、ワイヤガイドｃはワイヤ１０をガイドする湾曲面を持ち、固定的に取り付けられる部材である。
ドラム駆動装置１１は、ワイヤ１０を巻回したドラム１３とモータ１４を有し、モータ１４でドラム１３を回転駆動することにより、ワイヤ１０を一端側で巻き取るとともに他端側で巻き戻すものである。
【００１１】
前フレーム５は、後方が開口したコ字状の断面を有し、窓ガラス１の前縁が上下動可能に挿入される。
パネル空間Ｓにおいて、前フレーム５の下端部にはワイヤガイドブラケット１５が装着され、ワイヤガイドブラケット１５の室外側の面の後部及び前部にワイヤガイドａとワイヤガイドｂが装着される。ワイヤガイドａとワイヤガイドｂは、それぞれに係合するワイヤ１０の経路がぶつからないよう、内外方向へ位置をずらして取り付けられている。
前フレーム５の中間部にはワイヤガイドｃが取り付けられる。ワイヤガイドｃの上面は湾曲面となっている。
また、前フレーム５の下端部は、ワイヤガイドブラケット１５を介してドアパネル３の内パネル９に固定される。
【００１２】
ガイドレール１２は、前フレーム５と対をなし、パネル空間Ｓの後部に立設される。
ガイドレール１２の上端部にはワイヤガイドブラケット１８が固定され、ワイヤガイドブラケット１８の室外側の面にはワイヤガイドｄが取り付けられる。
ガイドレール１２の下端部にはワイヤガイドブラケット１９が固定され、ワイヤガイドブラケット１９の室外側の面の後部にはワイヤガイドｅが取り付けられる。そして、ワイヤガイドブラケット１９の室外側の面の前上部にドラム１３が、また、室内側の面の前上部にモータ１４が、これらドラム１３とモータ１４とでワイヤガイドブラケット１９を挟み付けるようにして取り付けられる。
そして、ワイヤガイドブラケット１８，１９をドアパネル３の内パネル９に固定することにより、ガイドレール１２がパネル空間Ｓ内に取り付けられる。
【００１３】
図３に示すように、ガイドレール１２は、両端が開口しており、室外側の面に内部空間よりも幅狭いスリット１６が全長に亘って形成された溝形断面を有する。また、ガイドレール１２の上端部に設けられたワイヤガイドｄは、ガイドレール１２の上端面を塞がないようにスリット１６の前側縁から寸法〔ｄ〕だけ前側（側方）へ退避して設置されている。寸法〔ｄ〕は、図のように、ほぼワイヤガイドｄの半径に等しい。
図４及び図５に示すように、ガイドレール１２の内部にはキャリア兼用スライダー２６が摺動自在に嵌合される。
キャリア兼用スライダー２６は、断面矩形であり（図５）、室外側の面にガイドレール１２のスリット１６を通して突出する突出部２７が形成され、突出部２７に窓ガラス固定孔２８が設けられている（図４）。
【００１４】
キャリア兼用スライダー２６の前側面２９及び後側面３０には、ガイドレール１２に対する摩擦力を低減するために、凸状に湾曲した摺接突部３１が上下部及び中間部にそれぞれ形成されている。後側面３０の上下部に形成された摺接突部３１は、弾力性が高まるよう中空となっている。
図６に示すように、キャリア兼用スライダー２６の前側面２９にはワイヤ１０の端部を係止する２本の係止溝３３が並設されている。また、一方の係止溝３３の上端及び他方の係止溝３３の下端には、それぞれワイヤ１０の端部に形成された抜け止め用の径大部１７を係止する係止凹部３２が連続して形成されている。
【００１５】
そして、図６に示すように、ワイヤガイドｄを経由したワイヤ１０の端部を係止凹部３２にそれぞれ径大部１７を係止し、係止溝３３にワイヤ１０の端部を係合させてキャリア兼用スライダー２６に取り付け、そのまま、キャリア兼用スライダー２６をガイドレール１２の上端開口部から内部へ嵌合する。この時、ワイヤガイドｄは、前記のように、ガイドレール１２の上端の開口部から寸法〔ｄ〕だけ外れた前方（側方）に設けられているので、キャリア兼用スライダー２６をガイドレール１２の開口部へ嵌合する際に、ワイヤガイドｄに邪魔されることなく簡単にガイドレール１２内に挿入できる。また、２本の係止溝３３にワイヤ１０の端部を係止することにより、ワイヤ１０はキャリア兼用スライダー２６を介して接続される。
さらに、キャリア兼用スライダー２６の突出部２７に窓ガラス１の下端部に装着したガラスホルダー３４を重ね、その貫通孔３５及び窓ガラス固定孔２８へ挿通する固定具３６によって、窓ガラス１をキャリア兼用スライダー２６に取り付ける。
【００１６】
ワイヤ１０は、ワイヤ部分１０ａ，１０ｂ，１０ｃから成る。
ワイヤ部分１０ａは、一端部が前キャリア２５に係合し、前キャリア２５から下方に延び、ワイヤガイドａの下面に係合してからドラム１３に至り、他端部がドラム１３の外周面に係合する。
ワイヤ部分１０ｂは、一端部がドラム１３の外周面に係合し、ドラム１３から延びて後上部のワイヤガイドｄと係合し、ガイドレール１２の内側を通ってキャリア兼用スライダー２６に至る。ワイヤ部分１０ｂの他端に形成された径大部１７はキャリア兼用スライダー２６の下方の係止凹部３２に係合し、ワイヤ部分１０ｂの他端部がこの係止凹部３２に連続した係止溝３３へ係止される。
【００１７】
ワイヤ部分１０ｃは、その一端に形成された径大部１７がキャリア兼用スライダー２６の上方の係止凹部３２に係合し、この係止凹部３２に連続した係止溝３３に一端部が係合して下方へ延び、ガイドレール１２の内側を通って下部のワイヤガイドｅに至る。次いで、ワイヤガイドｅから前下部のワイヤガイドｂに至り、ワイヤガイドｂの下面に係合してから前フレーム５の内側を通って前上部のワイヤガイドｃに至る。ワイヤガイドｃの上面に係合したワイヤ１０ｃは、再び前フレーム５の外側を通って窓ガラス１の下端でその前方を支持する前キャリア２５に戻る。
モータ１４を駆動してドラム１３を回転させると、ワイヤガイドｃとワイヤガイドａ間のワイヤ部分１０ｃと同ワイヤ部分１０ａ、ワイヤガイドｄとワイヤガイドｅ間のワイヤ部分１０ｂと同１０ｃは同じ方向に移動するので、前キャリア２５とキャリア兼用スライダー２６は同時に昇降し、窓ガラス１が開閉する。
【００１８】
なお、本発明に係るワイヤ式ウィンドウレギュレータの構造は上記実施例に限定されない。
例えば、ワイヤガイドａをなくしてドラム１３及びモータ１４を前フレーム５の下端部に取り付け、ガイドレール１２の下端部に、ドラム１３から後上部のワイヤガイドｄに向かうワイヤ１０を係合する別のワイヤガイドを設けることもできる。
また、ドラム１３及びモータ１４を、パネル空間Ｓの前部あるいは後部の高さ方向中間部又は上部に設置することも可能である。
前後両側にガイドレールを有するツインレールタイプのウィンドウレギュレータに本発明を応用することも可能である。
さらに、ガイドレール１２の下側のワイヤガイドをガイドレール１２の下端開口部から前側或いは後側に退避させた位置に設け、ガイドレール１２の下端面を通してキャリア兼用スライダー２６を嵌めこんでも良い。
【符号の説明】
【００１９】
１    窓ガラス
２    ドアフレーム
３    ドアパネル
４    ウィンドウレギュレータ
５    前フレーム
６    後フレーム
７    上フレーム
８    外パネル
９    内パネル
１０  ワイヤ
１０ａ，１０ｂ，１０ｃ  ワイヤ部分
１１  ドラム駆動装置
１２  ガイドレール
１３  ドラム
１４  モータ
１５  ワイヤガイドブラケット
１６  スリット
１７  径大部
１８  ワイヤガイドブラケット
１９  ワイヤガイドブラケット
２５  前キャリア
２６  キャリア兼用スライダー
２７  突出部
２８  窓ガラス固定孔
２９  前側面
３０  後側面
３１  摺接突部
３２  係止凹部
３３  係止溝
３４  ガラスホルダー
３５  貫通孔
３６  固定具
ａ〜ｅ  ワイヤガイド
Ｓ    パネル空間
Ｗ    窓
【図１】
2015063837.tif 000003
【図２】
2015063837.tif 000004
【図３】
2015063837.tif 000005
【図４】
2015063837.tif 000006
【図５】
2015063837.tif 000007
【図６】
2015063837.tif 000008
【図７】
2015063837.tif 000009